(57)【要約】【課題】上面が閉塞された床上設備の化粧板を脱着させ易いとともに、取り付けられた後の化粧板に強い力が加わっても脱落しない床上設備及びその製造方法を提供する。【解決手段】化粧板８の裏面から後方に突出する取付突部１２を設け、この取付突部１２を被取付板９を表裏方向に貫通する貫通孔９ａに挿通する。この貫通孔９ａに挿通された取付突部１２の突出端部に対して、収納ボックス２の外部にいる作業員ｈによる抜け止め作業が可能な抜け止め部材１３を設ける。【選択図】  図５
2008073442.tif 000002
【特許請求の範囲】
【請求項１】
前方に開口する開口部を有する収納ボックスと、この収納ボックスの上面部分を構成する天板と、前記開口部の上縁部分を構成する被取付板と、この被取付板の表面に取り付けられた化粧板とを備えている床上設備において、
前記化粧板の裏面から後方に突出する取付突部が設けられ、この取付突部が前記被取付板を表裏方向に貫通する貫通孔に挿通され、この貫通孔に挿通された前記取付突部の突出端部に対して前記収納ボックスの外部にいる作業員による抜け止め作業が可能な抜け止め部材が設けられていることを特徴とする床上設備。
【請求項２】
前記抜け止め部材は、幅広部分と幅狭部分とが連なった掛止孔を有する掛止板部と、この掛止板部を前記被取付板の裏面に沿ってスライドさせるための操作部とを有しており、  前記取付突部の突出端部に、前記幅広部分は通過するが前記幅狭部分は通過できない掛止片が形成されている請求項１に記載の床上設備。
【請求項３】
着脱自在に接着する面ファスナーの一方側のファスナーシートが前記被取付板の表面に取り付けられ、その面ファスナーの他方側のファスナーシートが前記化粧板の裏面における前記一方側のファスナーシートと対応する位置に取り付けられている請求項１又は２に記載の床上設備。
【請求項４】
前記貫通孔は、前記被取付板の下端部よりに配置されている請求項１〜３のいずれか一項に記載の床上設備。
【請求項５】
複数の前記掛止片が前記取付突部の軸方向に離れて配置されている請求項２に記載の床上設備。
【請求項６】
前記取付突部の根元部に、前記化粧板と前記被取付板との対向間隔を調整するための弾性体からなるスペーサパッキンが設けられている請求項１〜５のいずれか一項に記載の床上設備。
【請求項７】
前方に開口する開口部を有する収納ボックスと、この収納ボックスの上面部分を構成する天板とを床上に設置し、この収納ボックスの上縁部分を構成する被取付板の表面に化粧板を取り付けるようにした床上設備の製造方法において、
前記化粧板の裏面から後方に突出する取付突部を、前記被取付板を表裏方向に貫通する貫通孔に挿通する工程と、
前記被取付板の裏面側に突出した前記取付突部の突出端部を前記収納ボックスの外部にいる作業員による抜け止め作業で抜け止めする工程と、
を含むことを特徴とする床上設備の製造方法。
【請求項８】
前記貫通孔に前記取付突部を挿通して前記化粧板と前記被取付板とを接合させることで、それらの両板を接着させる工程を更に含む請求項７に記載の床上設備の製造方法。
【発明の詳細な説明】
【技術分野】
【０００１】
本発明は、システムキッチン等に用いられる床上設備及びその製造方法に関する。
【背景技術】
【０００２】
台所で使用されるシステムキッチンや洗面所に置かれる洗面化粧台等の床上設備の壁面や開き扉等は、それらの表面に化粧板を取り付けることにより製造される。図７に示すように、従来の床上設備の製造方法については、上面に天板１０６を備える床上設備１０４の前方（図７において左側）側面に設けられた被取付板１０２に、化粧板１０１をその前方側よりボルト部材１０５を締め付けることで取り付けられるものが知られている（例えば、特許文献１参照）。
【０００３】
【特許文献１】特開２００２−１４７１２９号公報（図７参照）
【発明の開示】
【発明が解決しようとする課題】
【０００４】
しかし、前述の床上設備１０４は、ボルト部材１０５が化粧板１０１の表面（図７において左側面）に露出するためデザイン性に優れないという問題点があった。この問題を解消するため、図８に示すように、ボルト部材１０５を被取付板１０２の裏面（図８において右側面）から締め付け、化粧板１０１の表面に露出しないようにすることができる。
しかし、被取付板１０２の上面を閉塞する天板１０６には通常、シンク１０７が取り付けられており、被取付板１０２とシンク１０７との間の空間が狭くなっている。この結果、床上設備１０４の外部にいる作業員がボルト部材１０５を取り外すために、被取付板１０２の下方における前方に開口する開口部１０８から手を入れて作業をする十分なスペースがなくなる。このため、ボルト部材１０５を取り外す前に天板１０６を取り外さなければならず、化粧板１０１の取り替え作業が煩雑になるという問題点もあった。
【０００５】
そこで、シンク１０７が取り付けられた天板１０６により上面が完全に閉塞された床上設備１０４の化粧板１０１を脱着させ易くするとともに化粧板１０１の取付位置も調整し易くするため、図８に示すような床上設備の製造方法が考えられる。この場合、上面を閉塞する天板１０６を備える床上設備１０４に設けられた被取付板１０２の表面（図８において左側面）と化粧板１０１の裏面（図８において右側面）にそれぞれ接着された面ファスナー１０３を介して、化粧板１０１が被取付板１０２に取り付けられている。しかし、この場合、化粧板１０１が面ファスナー１０３のみを介して被取付板１０２に取り付けられているため、化粧板１０１に外部から強い力が加わると化粧板１０１が被取付板１０２から脱落してしまうという問題点があった。
また、図示しないが、前記化粧板と被取付板とをダボ止めにより固定したり、磁石により接着して固定させる方法も考えられるが、これらも前述と同様、シンクを備える天板により上面を閉塞された床上設備の被取付板から化粧板を脱着させる作業が煩雑であったり、また化粧板の取付位置の調整が困難であったり、取り付けられた後の化粧板の接着力が弱いなどの問題点があった。
【０００６】
本発明は、前記事情に鑑みてなされたものであり、上面が閉塞された床上設備の化粧板を脱着させ易いとともに、取り付けられた後の化粧板に強い力が加わっても脱落しない床上設備及びその製造方法を提供することを目的とする。
【課題を解決するための手段】
【０００７】
前記目的を達成するための本発明の床上設備は、前方に開口する開口部を有する収納ボックスと、この収納ボックスの上面部分を構成する天板と、前記開口部の上縁部分を構成する被取付板と、この被取付板の表面に取り付けられた化粧板とを備えている床上設備において、前記化粧板の裏面から後方に突出する取付突部が設けられ、この取付突部が前記被取付板を表裏方向に貫通する貫通孔に挿通され、この貫通孔に挿通された前記取付突部の突出端部に対して前記収納ボックスの外部にいる作業員による抜け止め作業が可能な抜け止め部材が設けられていることを特徴としている。
【０００８】
また、本発明の床上設備の製造方法は、前方に開口する開口部を有する収納ボックスと、この収納ボックスの上面部分を構成する天板とを床上に設置し、この収納ボックスの上縁部分を構成する被取付板の表面に化粧板を取り付けるようにした床上設備の製造方法において、前記化粧板の裏面から後方に突出する取付突部を、前記被取付板を表裏方向に貫通する貫通孔に挿通する工程と、前記被取付板の裏面側に突出した前記取付突部の突出端部を前記収納ボックスの外部にいる作業員による抜け止め作業で抜け止めする工程と、を含むことを特徴としている。また、これらの工程に加え、前記貫通孔に前記取付突部を挿通して前記化粧板と前記被取付板とを接合させることで、それらの両板を接着させる工程を更に含んでいることが好ましい。
【０００９】
このような床上設備及びその製造方法によれば、前記化粧板の裏面から後方に突出する取付突部が設けられ、この取付突部が前記被取付板を表裏方向に貫通する貫通孔に挿通され、この貫通孔に挿通された前記取付突部の突出端部に対して前記収納ボックスの外部にいる作業員による抜け止め作業が可能な抜け止め部材が設けられているため、天板により上方が閉塞された床上設備から化粧板を脱着させる際に天板を取り外す必要がなく、前記収納ボックスの下方における前方に開口する開口部から前記被取付板の裏面に前記抜け止め部材を出し入れさせることで、化粧板を容易に脱着させることができる。また、前記貫通孔に前記取付突部を挿通したときに前記面ファスナーにより前記化粧板と前記被取付板とを仮固定することができるため、作業員による抜け止め作業を行い易くすることができる。
【００１０】
また、前記抜け止め部材は、幅広部分と幅狭部分とが連なった掛止孔を有する掛止板部と、この掛止板部を前記被取付板の裏面に沿ってスライドさせるための操作部とを有しており、前記取付突部の突出端部に、前記幅広部分は通過するが前記幅狭部分は通過できない掛止片が形成されていることが好ましい。この場合、前記抜け止め部材を容易に操作できるとともに、前記掛止片を前記幅狭部分に当接させることで前記取付突部を抜け止めすることができる。
【００１１】
また、着脱自在に接着する面ファスナーの一方側のファスナーシートが前記被取付板の表面に取り付けられ、その面ファスナーの他方側のファスナーシートが前記化粧板の裏面における前記一方側のファスナーシートと対応する位置に取り付けられていることが好ましい。この場合、前記貫通孔に前記取付突部を挿通したときに前記面ファスナーにより前記化粧板と前記被取付板とを仮固定することができる。
【００１２】
また、前記貫通孔は、前記被取付板の下端部よりに配置されていることが好ましい。この場合、前記収納ボックスの下方における前方に開口する開口部から前記抜け止め部材を出し入れすることができるので、外部にいる作業員が抜け止め作業を行い易くすることができる。
また、複数の前記掛止片が前記取付突部の軸方向に離れて配置されていることが好ましい。この場合、様々な板厚の前記被取付板に対して前記化粧板を取り付けることができる。
【００１３】
また、前記取付突部の根元部に、前記化粧板と前記被取付板との対向間隔を調整するための弾性体からなるスペーサパッキンが設けられていることが好ましい。この場合、前記化粧板と前記被取付板との取付間隔を調整し易くすることができるとともに、ぐらつくことなく化粧板を安定して取り付けることができる。
【発明の効果】
【００１４】
本発明の床上設備及びその製造方法によれば、上面が閉塞された床上設備の化粧板を脱着させ易いとともに、取り付けられた後の化粧板に強い力が加わっても脱落しないようにすることができる。
【発明を実施するための最良の形態】
【００１５】
以下、図面を参照しつつ、本発明の実施形態を説明する。図１は、本発明に係る床上設備の第一実施形態を示す斜視図である。この床上設備１は、システムキッチンを構成するものであり、台所の床や壁面に取り付けられている。
【００１６】
床上設備１は、一体として構成された複数の収納ボックス２と、この収納ボックス２の上面を完全に閉塞する状態で設けられた天板３とを備えている。収納ボックス２は、物品を収納できる複数の収納部４、加熱器具５及びシンク６を備えている。また、シンク６の前方壁面にはシンク前壁面７が設けられており、このシンク前壁面７及び前記収納部４の表面には化粧板が取り付けられ、この床上設備１の意匠を構成している。
【００１７】
図２は、図１におけるシンク前壁面７を示す断面図である。同図に示すとおり、シンク前壁面７は、収納ボックス２と、この収納ボックス２の下方における前方に開口する開口部２ａと、この開口部２ａの上縁部分に設置された被取付板９と、この被取付板９に取り付けられた化粧板８とを備えている。化粧板８は、その裏面（図２において右側面）中央部に接着された面ファスナー１０の一方側のファスナーシート１０ａと、被取付板９の表面（図２において左側面）中央部に接着された同他方側のファスナーシート１０ｂとが接着することで被取付板９に取り付けられている。なお、化粧板８の素材は、鉄等の金属を保護又は装飾するためにガラス質の釉を表面に塗って高温で焼き付けた琺瑯や、木等が使用されている。
【００１８】
また、化粧板８の裏面に後方（図２において右側）に突出する略円筒状の取付突部１２が取り付けられており、この取付突部１２が被取付板９の下端部よりに設けられた表裏方向に貫通した貫通孔９ａに挿通され、この貫通孔９ａに挿通された取付突部１２を抜け止め固定するための抜け止め部材１３が被取付板９の裏面より取付突部１２に掛止されている（抜け止め部材１３による掛止構造の詳細は後述する）。なお、前記取付突部１２を貫通孔９ａに挿通した際に、前述した面ファスナー１０を接着させて化粧板８と被取付板９とを仮固定させている。
【００１９】
図３は、図２における取付突部１２を示す断面図である。同図に示すとおり、取付突部１２は、その外周に軸方向に離れて配置される２つの環状なる掛止片１２ｄと、これら掛止片１２ｄと隣接する２つの凹部１２ａとが設けられた円筒部１２ｃと、この円筒部１２ｃの前方（図３において左側）端部から外方に延びた環状のフランジ部１２ｂとから構成され、断面略Ｔ字型の形状をしている。また、取付突部１２は、フランジ部１２ｂにボルト部材１４が前方方向に締めつけられることで化粧板８に固定されている。
【００２０】
被取付板９は、その下端部より表裏方向に貫通した貫通孔９ａが設けられている。そして、この貫通孔９ａに前方から取付突部１２が挿通され、この挿通された取付突部１２を抜け止め固定するための断面Ｌ字型のフック形状なる抜け止め部材１３が取付突部１２の凹部１２ａに掛止されている。なお、貫通孔９ａの径幅は、取付突部１２の径幅よりも多分に大きい寸法に設計されているため、これら径幅の寸法の差の範囲で化粧板８の取付位置を調整することができる。また、被取付板９の下方には、前方に開口した開口部２ａが設けられており、この開口部２ａより被取付板９の裏面に取り付けられる抜け止め部材１３を出し入れすることで、従来のように上面を閉塞する天板を取り外さずに、容易に化粧板８を取り替えることができる。
【００２１】
図４は、図３における抜け止め部材１３を示す正面図である。抜け止め部材１３は、その上方中央部に鍵穴型に貫通した掛止孔１３ａが形成された掛止板部１３ｄと、この掛止板部１３ｄを前記被取付板９の裏面に沿ってスライドさせるための操作部１３ｅとを備えている。そして、この掛止孔１３ａは、孔の径幅が大きい幅広部分１３ｂと、この幅広部分１３ｂと連なってその上方に位置する孔の径幅が小さい幅狭部分１３ｃとから構成されている。
【００２２】
また、前記取付突部１２に形成された掛止片１２ｄは、前記幅広部分１３ｂは通過するが前記幅狭部分１３ｃは通過できない大きさに設計されている。このため、前記取付突部１２は、その掛止片１２ｄが前記幅広部分１３ｂに挿通された後、前記凹部１２ａに前記幅狭部分１３ｃが掛け合わされることで抜け止め固定されている。
【００２３】
図６は、本発明に係る床上設備の第二実施形態を示す斜視図である。この実施の形態にかかる床上設備１が、図３に示す床上設備１と相違する点は、前記取付突部１２と前記被取付板９との間にスペーサパッキン１５を設けた点である。このスペーサパッキン１５は、取付突部１２におけるフランジ部１２ｂの後方（図６において右側）側面に取り付けられており、円環状にて樹脂等の弾性体から形成されている。この弾性力に富むスペーサパッキン１５を設けることにより、化粧板８が被取付板９に取り付けられる際のそれらの対向間隔が微調整されているとともに、化粧板８がぐらつくことなく安定して被取付板９に取り付けられている。
【００２４】
ここで本発明の床上設備の製造方法について説明する。図５は、本発明に係る床上設備の製造方法を示す工程図である。図５における（ａ）〜（ｃ）の工程の順に化粧板８が床上設備１に取り付けられる。なお、同図に示す基本構造は図２で示したものと同一であり、同一部分には同一参照符号を付している。
まず、同図における（ａ）に示すとおり、化粧板８の裏面から後方に突出する取付突部１２を被取付板９の下端部に表裏方向に貫通する貫通孔９ａに挿通させるとともに、化粧板８と被取付板９とを面ファスナー１０を介して接合させる。次に（ｂ）に示すとおり、収納ボックス２の外部にいる作業員ｈが、収納ボックス２の下方における前方に開口する開口部２ａから被取付板９の裏面側に抜け止め部材１３を挿入し、被取付板９の裏面側に突出した取付突部１２の突出端部をその抜け止め部材１３に形成された前記掛止孔１３ａの幅広部分ｂに挿通させる。そして（ｃ）に示すとおり、収納ボックス２の外部にいる作業員ｈが、取付突部１２に形成された前記凹部１２ａに抜け止め部材１３に形成された前記幅狭部分１３ｃを掛け合わせる抜け止め作業を行う。
【００２５】
以上の床上設備の製造方法によれば、シンク６が取り付けられた天板３により被取付板９の上方が閉塞されることにより、そのシンク６と被取付板９との間の空間が狭い床上設備１の化粧板８を付け替えるときに、被取付板９の下方における前方に開口する開口部２ａから、床上設備１の外部にいる作業員ｈが被取付板９の裏面側に抜け止め部材１３を挿入して取付突部１２に対して抜け止め作業、或いは取り外し作業をすることで、従来のように天板３を取り外さずに化粧板８を容易に脱着することができる。
【００２６】
なお、本発明に係る床上設備は、上記実施形態に限定されるものではない。例えば、上記実施形態では、化粧板８と被取付板９とが面ファスナー１０を介して接着されているが、磁石を介して接着されていてもよい。また、取付突部１２は、ボルト部材１４が締め付けられて化粧板８に固定されているが、ボス部材によりボス止め固定されていてもよい。
【図面の簡単な説明】
【００２７】
【図１】本発明に係る床上設備の第一実施形態を示す斜視図である。
【図２】図１におけるシンク前壁面を示す断面図である。
【図３】図２における取付突部を示す断面図である。
【図４】図３における抜け止め部材を示す正面図である。
【図５】本発明に係る床上設備の製造方法を示す工程図である。
【図６】本発明に係る床上設備の第二実施形態を示す斜視図である。
【図７】従来の床上設備を示す断面図である。
【図８】従来の他の床上設備を示す断面図である。
【図９】従来の他の床上設備を示す断面図である。
【符号の説明】
【００２８】
１    床上設備
２    収納ボックス
２ａ    開口部
３    天板
８    化粧板
９    被取付板
９ａ    貫通孔
１０    面ファスナー
１０ａ，１０ｂ    ファスナーシート
１２    取付突部
１２ｄ    掛止片
１３    抜け止め部材
１３ａ    掛止孔
１３ｂ    幅広部分
１３ｃ    幅狭部分
１３ｄ    掛止板部
１３ｅ    操作部
１５    スペーサパッキン
ｈ    作業員
【図１】
2008073442.tif 000003
【図２】
2008073442.tif 000004
【図３】
2008073442.tif 000005
【図４】
2008073442.tif 000006
【図５】
2008073442.tif 000007
【図６】
2008073442.tif 000008
【図７】
2008073442.tif 000009
【図８】
2008073442.tif 000010
【図９】
2008073442.tif 000011